(57)【特許請求の範囲】
【請求項１】
先端部が地中に打ち込まれる棒状の杭部と、該杭部の一部が内部に挿入される筒状部とを備え、
前記杭部の基端部には、鍔状の制止部が設けられ、
前記筒状部は、筒状部本体と、該筒状部本体の一端に開いた開口部であって、前記杭部の基端部側が挿通される開口部と、該開口部から離間した筒状部本体の内側部に固定され、且つ前記杭部の前記制止部に当たる打撃部と、打撃部に密接して配置される柱状の吸音部とを有することを特徴とする標示用ポール。
【請求項２】
前記筒状部は、前記開口部のある前記一端と反対側の他端に閉塞部を有し、
前記吸音部は、前記打撃部から前記閉塞部まで設けられている請求項１に記載の標示用ポール。
【請求項３】
前記開口部は、該開口部を挿通する前記杭部の断面形状と略同じ形状の開口を形成する請求項１又は請求項２に記載の標示用ポール。
【請求項４】
前記杭部は、軸状の杭本体と、該杭本体の基端部側に設けられ、前記杭本体の軸芯方向と交差する方向に突出する突出部とを備え、
前記開口部は、前記筒状部本体に挿入された前記杭本体における前記突出部を掛止可能である請求項１〜請求項３のいずれか１項に記載の標示用ポール。
【請求項５】
前記杭部は、軸状の杭本体と、該杭本体の基端部に設けられ、前記杭本体の軸芯方向と交差する方向に広がって形成された制止部とを備える請求項１〜請求項４のいずれか１項に記載の標示用ポール。
【請求項６】
前記杭部は、軸状の杭本体と、該杭本体の基端部から、前記杭本体が前記筒状部本体に挿入可能な長さより離間した位置に設けられる鍔状部とを有する請求項１〜請求項５のいずれか１項に記載の標示用ポール。
【請求項７】
前記打撃部は、金属材料からなる請求項１〜請求項６のいずれか１項に記載の標示用ポール。
【発明の詳細な説明】
【技術分野】
【０００１】
本発明は、杭を地中に打ち込んで地上に据え付ける標示用ポールに関する。
【背景技術】
【０００２】
発電所や変電所などの構内で作業を実施する際、作業者の安全が確保された作業区画が形成される。この作業区画は、一定の間隔をあけて配置される複数の標示用ポールと、該複数の標示用ポール間に張り渡されるロープ又はネットとで囲われている。このようにして、作業者が誤ってこの作業区画から外に出ることのないように、作業者に注意を喚起している。
【０００３】
この標示用ポールは、棒状の杭部と、該杭部の基端部側が内部に収容される筒状部とを備えている（例えば、特許文献１参照）。杭部は、杭本体と、該杭本体の軸芯方向における先端部側に設けられる鍔状部とを有する。筒状部は、筒状部本体と、該筒状部本体の一端（地面側）に開いた開口部とを有する。杭部の鍔状部は、筒状部本体が杭部の基端部側から先端部側に向かって杭本体を収容する際に、筒状部の開口部に当たる位置に配置されている。
【０００４】
この標示用ポールは、以下の手順で設置される。まず、杭本体の先端部が地面に突き当てられて立つように該杭本体の姿勢を保ちつつ、筒状部が杭部の基端部側に持ち上げられる。その後、筒状部が杭本体に沿って杭部の先端部側に降ろされ、筒状部の開口部が杭部の鍔状部に衝突する。開口部から鍔状部に受けた打撃力は、杭本体に伝わり、その打撃力により、杭本体が地面に打ち込まれ、標示用ポールが地面に設置される。
【０００５】
筒状部の開口部が鍔状部に衝突する際、打撃音が発生する。この打撃音は、筒状部の外部に露出した鍔状部が衝突することにより発生する。そのために、打撃音が標示用ポールの周囲に直接的に伝播する。この打撃音は、周辺環境に対して騒音源となりえる。よって、周辺環境に配慮して、標示用ポールを設置しなければならず、設置できる時間帯や場所が制限されることがあった。
【先行技術文献】
【特許文献】
【０００６】
【特許文献１】特開２０１０−１５９５３７号公報
【発明の概要】
【発明が解決しようとする課題】
【０００７】
よって、本発明は、かかる事情に鑑み、杭を打ち込む際に生じる打撃音を抑えることができる標示用ポールを提供することを課題とする。
【課題を解決するための手段】
【０００８】
先端部が地中に打ち込まれる棒状の杭部と、該杭部の一部が内部に挿入される筒状部とを備え、
前記杭部の基端部には、鍔状の制止部が設けられ、
前記筒状部は、筒状部本体と、該筒状部本体の一端に開いた開口部であって、前記杭部の基端部側が挿通される開口部と、該開口部から離間した筒状部本体の内側部に固定され、且つ前記杭部の前記制止部に当たる打撃部と、打撃部に密接して配置される柱状の吸音部とを有することを特徴とする。
【０００９】
かかる構成によれば、打撃部が杭部の基端部に衝突して発生する打撃音は、打撃部より奥に配置される吸音部で吸音される。更に、打撃部が筒状部本体の内側に設けられていることから、打撃音は、筒状部本体の内側で発生する。そのため、打撃音が外部に直接伝播することがなく、筒状部本体又は開口部を介して外部に伝わることになり、打撃音は、更に抑えられる。
【００１１】
また、打撃部は、打撃音の伝播経路となる開口部から離間して設けられる。打撃音は、打撃部から開口部に至るまでの間で距離減衰したのち開口部から外部に伝播することになり、打撃音が抑えられる。
【００１２】
また、本発明に係る標示用ポールの他態様として、筒状部は、開口部のある一端と反対側の他端に閉塞部を有し、吸音部は、打撃部から閉塞部まで設けられているようにすることができる。
【００１３】
かかる構成によれば、吸音部が閉塞部まで設けられているため、打撃音が吸音される領域を大きく取ることができるとともに、吸音部を通過した打撃音が吸音部と閉塞部との間で反響しない。
【００１４】
また、本発明に係る標示用ポールの別の態様として、開口部は、該開口部を挿通する杭部の断面形状と略同じ形状の開口を形成するようにすることができる。
【００１５】
かかる構成によれば、開口部と杭部との間がほとんど塞がれている。そのため、打撃音が筒状部本体の外部に漏れにくくなっている。
【００１６】
また、本発明に係る標示用ポールの更に別の態様として、杭部は、軸状の杭本体と、該杭本体の基端部側に設けられ、杭本体の軸芯方向と交差する方向に突出する突出部とを備え、開口部は、筒状部本体に挿入された杭本体における突出部を掛止可能であるようにすることができる。
【００１７】
かかる構成によれば、筒状部本体が地面に打ち込まれた杭本体に沿って持ち上げられることにより、突出部が開口部に掛止され、杭本体が地面から引き抜かれる方向に作用する。そのため、標示用ポールは、杭部が地中から引き抜かれて、撤去できるように構成されている。
【００１８】
また、本発明に係る標示用ポールの更に別の態様として、杭部は、軸状の杭本体と、該杭本体の基端部に設けられ、杭本体の軸芯方向と交差する方向に広がって形成された制止部とを備えるようにすることができる。
【００１９】
かかる構成によれば、打撃部は、制止部に衝突して、杭本体を地面に打ち込む。この制止部が杭本体の軸芯方向と交差する方向に広がっており、打撃部が制止部に対して衝突させやすく、杭本体に打撃を加えやすくなっている。
【００２０】
また、本発明に係る標示用ポールの更に別の態様として、杭部は、軸状の杭本体と、該杭本体の基端部から、杭本体が筒状部本体に挿入可能な長さより離間した位置に設けられる鍔状部とを有するようにすることができる。
【００２１】
かかる構成によれば、鍔状部が杭部に設けられていても、筒状部の開口部が鍔状部に衝突せず、打撃音は、発生しない。
【００２２】
また、本発明に係る標示用ポールの更に別の態様として、打撃部は、金属材料からなるようにすることができる。
【００２３】
かかる構成によれば、打撃部による打撃力を高く維持することができる。
【発明の効果】
【００２４】
以上のように、本発明によれば、杭を打ち込む際に生じる打撃音を抑えることができるという優れた効果を奏し得る。
【図面の簡単な説明】
【００２５】
【図１】図１は、本発明の一実施形態に係る標示用ポールの外観図である。
【図２】図２は、同実施形態に係る標示用ポールの縦断面図である。
【図３】図３（ａ）〜（ｃ）は、同実施形態に係る標示用ポールの設置工程を説明する図である。
【図４】図４（ａ）〜（ｃ）は、同実施形態に係る標示用ポールの設置工程を説明する図である。
【発明を実施するための形態】
【００２６】
以下、本発明に係る標示用ポールの一実施形態について図１〜図４を参照しながら説明する。本実施形態に係る標示用ポール１は、図１及び図２に示すように、棒状の杭部２と該杭部２の一部が内部に挿入される筒状部３とを備える。
【００２７】
杭部２は、鋼製の杭である。杭部２は、尖った先端部２１ａを有する軸状の杭本体２１と、該杭本体２１の基端部２１ｂに設けられる制止部２２と、杭本体２１の先端部２１ａ側に設けられる鍔状部２３とを備える。杭部２は、基端部２１ｂに打撃が加えられて、地面に打ち込まれる。
【００２８】
杭本体２１は、略直線状に形成された丸棒である。杭本体２１は、地面に打ち込まれる先端部２１ａ側の埋設部２１ｃと、該埋設部２１ｃから基端部２１ｂ側に延長された延長部２１ｄとを有する。埋設部２１ｃと延長部２１ｄとの間には、鍔状部２３が配置される。
【００２９】
延長部２１ｄは、埋設部２１ｃの軸芯方向と同じ方向に鍔状部２３から直線状に延長されている。延長部２１ｄは、この基端部２１ｂから先端部２１ａ側の一部まで筒状部３の内部に収容される。
【００３０】
制止部２２は、杭本体２１の軸芯方向と交差する方向に広がって鍔状に形成されている。制止部２２は、杭本体２１の軸芯方向における先端部２１ａから基端部２１ｂに向かう基端方向（図１及び図２における上方向）側に制止面２２ａを有する。制止面２２ａは、延長部２１ｄの軸芯方向に対して交差する平面であり、好ましくは、直交する平面である。
【００３１】
制止部２２は、その側周縁部にガイド面２２ｂを有する。ガイド面２２ｂは、筒状部３の内周面の形状に即して形成されている。ガイド面２２ｂは、筒状部３の内周面に当接され、筒状部３の内周面が杭本体２１の軸芯方向に沿ってスライドして移動するようにガイドする。
【００３２】
制止部２２は、筒状部本体３１に挿入された杭本体２１の基端部２１ｂ側に設けられ、杭本体２１の軸芯方向と交差する方向に突出して形成される被掛止部２２ｃ（本発明の「突出部」に相当する）を有する。被掛止部２２ｃは、制止面２２ａの反対側の面に設けられた環状の平面である。被掛止部２２ｃは、筒状部３が持ち上げられたときに、後述する筒状部３の開口部３２の内面に衝突して、掛止される部分である。
【００３３】
鍔状部２３は、杭本体２１の軸芯方向と交差する方向に広がって鍔状に形成されている。鍔状部２３は、標示用ポール１の底板となり、鍔状部２３の埋設部２１ｃ側の面は、地面に当接する。鍔状部２３は、杭本体２１の基端部２１ｂから、杭本体２１が後述する筒状部本体３１に挿入可能な長さより離間した位置に設けられる。そのため、延長部２１ｄ側の面は、筒状部３と離間している。鍔状部２３は、杭本体２１の打ち込み深さを規定し、その埋設深さが不足しないように設けられている。また、鍔状部２３は、所定の深さ以上打ち込まれないように打ち込み深さを規制するストッパとしても機能する。
【００３４】
筒状部３は、円筒状の筒状部本体３１と、該筒状部本体３１の一端に開いた開口部３２と、該開口部３２のある一端と反対側の他端を塞ぐ閉塞部３３と、杭部２の基端部２１ｂに当たり、打撃を加える打撃部３４と、該打撃部３４より更に奥に配置される吸音部３５と、作業区画を標示するロープやネットが掛けられるフック３６とを有する。吸音部３５を除く筒状部３全体は、金属材料から形成されており、筒状部３全体の重量が重くなるように構成されている。
【００３５】
筒状部本体３１は、杭本体２１における基端部２１ｂから先端部２１ａ側の大部分を収容する杭収容空間３１ａと、該杭収容空間３１ａよりも閉塞部３３側に設けられ、吸音部３５が配置される吸音空間３１ｂとを有する。杭収容空間３１ａと吸音空間３１ｂとは、打撃部３４で隔てられている。
【００３６】
筒状部本体３１は、制止部２２を覆っており、杭本体２１の基端部２１ｂ側の延長部２１ｄの一部を覆うことができるようになっている。つまり、杭収容空間３１ａには、鍔状部２３側近傍を除いて、基端部２１ｂ側から杭本体２１の延長部２１ｄが収容される。そして、常に筒状部本体３１（の開口部３２）と鍔状部２３との間には、隙間が開いている。
【００３７】
開口部３２は、杭部２の基端部２１ｂ側が挿通される開口を形成する。開口部３２は、該開口部３２を挿通する杭部２の杭本体２１の断面形状と略同じ形状の開口を形成する。つまり、開口部３２は、丸棒状である杭本体２１の外径よりも僅かに大きい内径を有する円状の開口を形成する。
【００３８】
開口部３２は、筒状部本体３１に挿入された杭本体２１における被掛止部２２ｃを掛止可能に構成されている。具体的には、開口部３２は、筒状部本体３１の開放端を円環状に狭められており、開口部３２の内面（筒状部本体３１の内側に面する面）は、制止部２２の被掛止部２２ｃに対向している。この被掛止部２２ｃは、杭部２が筒状部３の開口部３２から抜けるのを防止する。また、被掛止部２２ｃは、開口部３２に引っ掛けて杭部２を引き抜くために設けられている。
【００３９】
閉塞部３３は、筒状部本体３１の他端を塞ぎ、打撃音が筒状部本体３１から漏れるのを阻止する。
【００４０】
打撃部３４は、筒状部本体３１の内側に固定されている。打撃部３４は、金属材料からなる。打撃部３４は、開口部３２から筒芯方向に離間した位置に配置されている。この打撃部３４と開口部３２との離間長さは、打撃部３４が制止部２２に対して降ろすことができる最大の行程（ストローク）差となる。この行程差は、制止部２２（被掛止部２２ｃ及び制止面２２ａのいずれか開口部３２に近い方）と開口部３２の内面とが離間可能な長さに相当する。言い換えると、この行程差は、延長部２１ｄの軸芯方向の長さと、筒状部本体３１の杭収容空間３１ａの筒芯方向の長さとで規定され、延長部２１ｄが杭収容空間３１ａに収容される長さが行程差に相当する。
【００４１】
また、この行程差は、筒状部本体３１の内部で打撃音が距離減衰する伝播距離に対応する。そのため、この行程差が打撃音を距離減衰するために必要な長さ（伝播距離）となるように、延長部２１ｄの長さが設定されている。
【００４２】
打撃部３４は、制止部２２（制止面２２ａ）と面対向するように配置されている。打撃部３４は、対向する制止面２２ａの形状に対応した形状をしており、つまり、制止面２２ａと対向する開口部３２側の面が平面状に形成されている。そのため、打撃部３４は、打撃力が制止部２２に対して一点で加わることなく、制止部２２に対して面で加えることで、打撃力が制止部２２上に一様に加わり、制止部２２を保護している。また、打撃部３４は、標示用ポール１として設置される際に、制止部２２に面当接されて、筒状部３の姿勢を保つ。
【００４３】
吸音部３５は、筒状部本体３１の吸音空間３１ｂに設けられている。吸音部３５は、打撃部３４から閉塞部３３まで密に設けられている。吸音部３５は、連続気泡構造を有する発泡ウレタンの多孔質吸音材を密に吸音空間３１ｂに収容して構成されている。
【００４４】
フック３６は、筒状部本体３１の側面に設けられ、ロープやネットを上方向から引っ掛けることができるようになっている。
【００４５】
次に、同実施形態の標示用ポール１の設置方法について、主に、図３及び図４を参照しながら説明する。
【００４６】
まず、図３（ａ）に示すように、杭本体２１の先端部２１ａを地面Ｇに突き当てて、その姿勢を保ったまま、筒状部本体３１を上方向に持ち上げる。続けて、図３（ｂ）に示すように、筒状部本体３１を下方向に降して、筒状部本体３１を地面Ｇに向かって降下させる。
【００４７】
このとき、筒状部本体３１は、内周面が杭部２の制止部２２のガイド面２２ｂをスライドし、開口部３２の開口縁が杭本体２１をスライドして上下動する。このため、筒状部本体３１は、該筒状部本体３１の筒芯方向を杭本体２１の軸芯方向に一致させた姿勢を保ちつつ、杭本体２１の軸芯方向に沿って降下する。
【００４８】
降下する筒状部本体３１の打撃部３４が杭部２の制止部２２に到達し、図３（ｃ）に示すように、衝突すると、打撃部３４が制止部２２に打撃力を加える。この打撃力は、打撃部３４に筒状部３全体の重量に、筒状部３を持ち上げて打撃部３４が制止部２２まで降下した距離を掛けて求まる大きさの力に対応する。これにより、図４（ａ）に示すように、杭本体２１の先端部２１ａが地面Ｇに打ち込まれ、埋設部２１ｃ（の一部）が地中に埋まる。
【００４９】
図３（ｃ）に示すように、この打撃部３４と制止部２２との衝突により、打撃音が発生する。この打撃音は、筒状部本体３１で覆われた筒状部３の内部で発生する。そのため、従来の標示用ポールのように、この打撃音は、筒状部本体３１の外部で鳴り、直接、外部の作業者に向かって伝播することはない。
【００５０】
しかも、この打撃音は、打撃部３４に密接している吸音部３５に吸音されて、減音される（第一の減音（消音）効果）。また、打撃部３４と制止部２２とが衝突したとき、杭本体２１は、最も筒状部本体３１の杭収容空間３１ａに収容され、その基端部２１ｂに設けられる制止部２２が最も杭収容空間３１ａの奥に位置する。そのため、打撃音が杭収容空間３１ａ内で開口部３２まで伝播する距離が最も長くなり、打撃音が最も距離減衰しやすくなる（第二の減音（消音）効果）。開口部３２と杭本体２１との間も僅かに開いているにすぎず、打撃音が外部に漏れにくい構造となっている（第三の減音（消音）効果）。
【００５１】
このとき、筒状部３の開口部３２は、杭部２の鍔状部２３には衝突せず、鍔状部２３と一定の距離を開けて離間しているため、従来技術の標示用ポールのように、開口部３２と鍔状部２３とにより打撃音が発生することはない。
【００５２】
作業者は、図４（ｂ）に示すように、杭本体２１の埋設部２１ｃがすべて地中に打ち込まれ埋まるまで、図３（ａ）〜図４（ａ）に示すこれらの工程を繰り返す。作業者は、埋設部２１ｃがすべて地中に埋設されたか否かの判断を、鍔状部２３が地面Ｇに接地されたか否かで判断する。
【００５３】
この際、地面Ｇに対して鍔状部２３が傾いており、その一部でしか接地していない場合、地面Ｇに対して杭部２が直交して埋設することができなかったことを示している。その場合、作業者は、標示用ポール１を設置しなおしてもよい。図４（ｃ）に示すように、筒状部本体３１を持ち上げ、開口部３２を被掛止部２２ｃに引っ掛けて、杭本体２１に対して上方向に力を加えれば、杭部２は、地面Ｇから引き抜かれる。
【００５４】
このようにして、標示用ポール１は、作業区画を囲うように所定の間隔を開けて、複数個所に設置され、これらの箇所に設置し終えると、それぞれの筒状部３に設けられたフック３６にロープやネットを掛けて、作業区画を囲い、その内側若しくは外側が作業区画であることを標示する。
【００５５】
このように、標示用ポール１を設置する際に、打撃部３４が杭部２の基端部２１ｂに衝突して発生する打撃音は、打撃部３４より奥に配置される吸音部３５で吸音される。更に、打撃部３４が筒状部本体３１の内側に設けられていることから、打撃音は、筒状部本体３１の内側で発生する。そのため、打撃音が外部に直接伝播することがなく、筒状部本体３１又は開口部３２を介して外部に伝播することになり、打撃音は、更に抑えられる。
【００５６】
また、打撃部３４は、打撃音の伝播経路となる開口部３２から離間して設けられる。打撃音は、打撃部３４から開口部３２に至るまでの間で距離減衰したのち開口部３２から外部に伝播することになり、打撃音が抑えられる。
【００５７】
また、吸音部３５が閉塞部３３まで設けられているため、打撃音が吸音される領域を大きく取ることができるとともに、吸音部３５を通過した打撃音が吸音部３５と閉塞部３３との間で反響しない。
【００５８】
また、開口部３２と杭部２との間がほとんど塞がれている。そのため、打撃音が筒状部本体３１の外部に漏れにくくなっている。
【００５９】
また、筒状部本体３１が地面Ｇに打ち込まれた杭本体２１に沿って持ち上げられることにより、被掛止部２２ｃ（突出部）が開口部３２に掛止され、杭本体２１が地面Ｇから引き抜かれる方向に作用する。そのため、標示用ポール１は、杭部２が地中から引き抜かれて、撤去できるように構成されている。
【００６０】
また、打撃部３４は、制止部２２に衝突して、杭本体２１を地面Ｇに打ち込む。この制止部２２が杭本体２１の軸芯方向と交差する方向に広がっており、打撃部３４が制止部２２に対して衝突させやすく、杭本体２１に打撃を加えやすくなっている。
【００６１】
また、従来のように、鍔状部２３が杭本体２１の基端部２１ｂから、杭本体２１が筒状部本体３１に挿入可能な長さより離間した位置に設けられており、開口部３２が鍔状部２３に衝突しないため、開口部３２が鍔状部２３に衝突することによって打撃音が発生することはない。
【００６２】
また、打撃部３４は、金属材料からなるため、打撃部３４による打撃力を高く維持することができる。
【００６３】
なお、本発明は、上記実施形態に限定されず、本発明の要旨を逸脱しない範囲で様々な変更が可能である。
【００６４】
上記実施形態に係る標示用ポール１において、杭部２が円柱形状である例を説明したが、これに限定されるものではない。例えば、杭部は、角柱形状や角錐形状、円錐形状などをしていてもよい。この場合、筒状部は、杭部のこれらの形状に対応させた形状、例えば、四角柱形状の杭部であれば、角筒形状であってもよい。また、筒状部は、杭部のこれらの形状に対応させた形状でなくてもよい。
【００６５】
上記実施形態に係る標示用ポール１において、吸音部３５が連続気泡構造を有する発泡ウレタンを充填したものである例を説明したが、これに限定されるものではない。例えば、吸音部は、他の連続気泡構造を有するスポンジやメラミン、ゴムなどの多孔質吸音材が充填されたものであってもよいし、グラスウールやロックウールなどの無機質繊維質材や、砂などの吸音材が充填されたものであってもよい。
【００６６】
上記実施形態に係る標示用ポール１において、吸音部３５が筒状部３の打撃部３４から閉塞部３３まで設けられている例を説明したが、これに限定されるものではない。例えば、吸音部は、筒状部の打撃部に密接して配置されておれば、打撃部から閉塞部までの中途部まで設けられていてもよい。
【００６７】
上記実施形態に係る標示用ポール１において、突出部としての被掛止部２２ｃが制止部２２に設けられている例を説明したが、これに限定されるものではない。例えば、制止部と突出部とが独立して設けられていてもよい。つまり、制止部が杭本体の基端部に設けられ、突出部が杭本体の基端部側に設けられていてもよい。
【００６８】
上記実施形態に係る標示用ポール１において、制止部２２が設けられる例を説明したが、これに限定されるものではない。例えば、制止部は、杭本体の基端部そのものであってもよく、つまり、杭本体の基端部がその軸芯方向と交差する方向に広がって形成されていなくてもよい。
【００６９】
上記実施形態に係る標示用ポール１において、突出部としての被掛止部２２ｃが設けられる例を説明したが、これに限定されるものではない。例えば、標示用ポールが常設用のポールでなければ撤去時のことを想定する必要がなく、そのため、突出部が設けられていなくてもよい。
【００７０】
上記実施形態に係る標示用ポール１において、突出部としての被掛止部２２ｃが杭本体の周方向全周において周方向に突出している例を説明したが、これに限定されるものではない。例えば、突出部は、杭本体の周方向の一部において周方向に突出したものであってもよい。
【００７１】
上記実施形態に係る標示用ポール１において、打撃部３４は、金属材料からなる例を説明したが、これに限定されるものではない。例えば、打撃部は、杭部との衝突に際して剛性を保てるものであれば、非金属材料から形成されていてもよい。また、屋外で使用するものであるため、ステンレス等、耐腐食性の金属がより好ましい。但し、打撃部を杭部との衝突においてその打撃を吸収するゴムなどの弾性部材で形成することは、衝突音の抑制には一定の効果が得られるが、杭部の打撃力が低下するため、金属材料であることが望ましい。
【００７２】
上記実施形態に係る標示用ポール１において、開口部３２が筒状部本体３１の内径よりも狭まっている例を説明したが、これに限定されるものではない。例えば、開口部３２は、筒状部本体３１の内径以上に開いたものであってもよい。また、打撃部が制止部に衝突する際に、この開口部と近接する位置に杭部の鍔状部が設けられ、この鍔状部は、開口部が形成する開口を超えて広がって形成されていてもよい。この場合、打撃音は、開口部と鍔状部との間の隙間を回折して伝播するため、減衰される。また、その隙間は狭いため、打撃音が外部に伝播するのを抑制する効果もある。
【符号の説明】
【００７３】
１…標示用ポール、２…杭部、２１…杭本体、２１ａ…先端部、２１ｂ…基端部、２１ｃ…埋設部、２１ｄ…延長部、２２…制止部、２２ａ…制止面、２２ｂ…ガイド面、２２ｃ…被掛止部、２３…鍔状部、３…筒状部、３１…筒状部本体、３１ａ…杭収容空間、３１ｂ…吸音空間、３２…開口部、３３…閉塞部、３４…打撃部、３５…吸音部、３６…フック、Ｇ…地面
【図１】
0005876445.tif 000002
【図２】
0005876445.tif 000003
【図３】
0005876445.tif 000004
【図４】
0005876445.tif 000005